(57)【特許請求の範囲】
【請求項１】
ドアガード解除用の錠２を構成する回転体１１を外から駆動させると、ドアの内壁面に固定的に取り付けられたユニット基体Ｙの一端部に軸支され、かつ戸枠側３の受け部材４に、その上下の外拡基端部３２間の幅広挿抜空間部３４が嵌り合うように位置している係合アーム３１が、前記回転体１１と前記外拡基端部３２との間に設けられ、かつ中央部が軸支されていると共に左右の端部が該回転体１１と該外拡基端部３２にそれぞれ係脱するシーソー片２１を含む係合解除機構９を介して、しかも前記外拡基端部３２に組み込まれた付勢バネのバネ力により自動的に受け部材から前記ユニット基体Ｙの壁面８ｂに向って回転するドアガードであり、前記係合アーム３１のドアの開放範囲を規制するための横Ｕ字型長杆規制部３５の内側又は前記ユニット基体Ｙの壁面８ｂに、係合アームが前記ユニット基体Ｙの壁面８ｂに衝突したときに発生する音を静かな音にする消音部材６１を固定的に設けたことを特徴とするドアガード。
【請求項２】
請求項１に於いて、ユニット基体Ｙの壁面８ｂには、係合アーム３１の横Ｕ字型長杆規制部３５を受けるキャッチ部材６５が固定的に設けられていることを特徴とするドアガード。
【請求項３】
請求項２に於いて、キャッチ部材６５は熱可塑性樹脂で形成されていることを特徴とするドアガード。
【請求項４】
ドアガード解除用の錠２を構成する回転体１１を外から駆動させると、ドアの内壁面に固定的に取り付けられたユニット基体Ｙの一端部に軸支され、かつ、戸枠側３の受け部材４にその上下の外拡基端部３２間の幅広挿抜空間部３４が嵌り合うように位置している係合アーム３１が、前記回転体１１と前記外拡基端部３２との間に設けられ、かつ中央部が軸支されていると共に左右の端部が該回転体１１と該外拡基端部３２にそれぞれ係脱するシーソー片２１を含む係合解除機構９を介して、しかも前記外拡基端部３２に組み込まれた付勢バネのバネ力により自動的に受け部材から前記ユニット基体Ｙの壁面８ｂに向って回転するドアガードであり、前記係合アーム３１のドアの開放範囲を規制するための横Ｕ字型長杆規制部３５の内側には消音部材６１を嵌合状態に設け、一方、ユニット基体Ｙの壁面８ｂには、前記消音部材６を受ける熱可塑性樹脂で形成されたキャッチ部材６５が固定されていることを特徴とするドアガード。
【請求項５】
請求項４に於いて、キャッチ部材６５は、横Ｕ字型長杆規制部３５と係合する保持部６８を有していることを特徴とするドアガード。
【発明の詳細な説明】
【０００１】
【発明の属する技術分野】
本発明は、来訪者の確認等を行えるドアガードに関し、特に「深夜に於ける静音性」を考慮したドアガード  に関する。
【０００２】
【従来の技術】
ドアガード  に関する一例としては、特開平６−１９５４２９号が存在する。この公報に記載された発明の課題を読むと、室内にいる人が用心具を係止可能状態にして就寝した場合には、外出先から戻って来た主人など人が、たとえ鍵によってデッドボルトを備えた錠前を解錠しても、補助錠としての用心具が作動可能な状態のため、就寝した人（例えば女房）を起さない限り、室内に入ることができない、という問題点を指摘している。
【０００３】
そこで、出願人は、この一実施例の有する問題点に鑑み、閉扉状態に於いて、ドアの外壁面側から、例えばシリンダ錠を駆動させると、戸枠側の係止杆に対して作動可能状態にある（戸枠側の係止杆に対して、係合アームの幅広挿抜空間部が嵌り合うように位置していることを意味する）ドア内壁面側の係合アームが、戸枠側係止杆から自動的に離れるドアガードを出願中である。この新規なドアガードは、例えば合鍵操作によりシリンダ錠を操作すると、錠の回転体を介して係合解除機構を構成するシーソー片が押しバネのバネ力に抗して係合解除方向へと揺動する。そうすると、係合を解かれた係合アームが、その外拡基端部に組込まれた付勢バネのバネ力により勢いよく戻り、ドアガードユニットのケース壁面等に当り「ガタン」という音が発生する。日常経験からして、深夜の「ガタン」という音は室内に結構響くので、就寝している人にとっては「ドキッ」とするなど迷惑な話である。
【０００４】
【発明が解決しようとする課題】
本発明は、出願人が提案した新規構成の前記ドアガードの問題点に鑑み、深夜に於ける静音性を考慮し、閉扉状態に於いて、ドアの外壁面側からドアガードの錠を操作した結果、係合アームが付勢バネのバネ力により勢い良くドアの内壁面側へと戻った時に発生する「ガタン」という音を極力小さくすることを目的とする。第２の目的は、就寝した人を起さないで室内に入ることができるドアガードを提供することである。
【０００５】
【課題を解決するための手段】
本発明のドアガードは、ドアガード解除用の錠２を構成する回転体１１を外から駆動させると、ドアの内壁面に固定的に取り付けられたユニット基体Ｙの一端部に軸支され、かつ戸枠側３の受け部材４に、その上下の外拡基端部３２間の幅広挿抜空間部３４が嵌り合うように位置している係合アーム３１が、前記回転体１１と前記外拡基端部３２との間に設けられ、かつ中央部が軸支されていると共に左右の端部が該回転体１１と該外拡基端部３２にそれぞれ係脱するシーソー片２１を含む係合解除機構９を介して、しかも前記外拡基端部３２に組み込まれた付勢バネのバネ力により自動的に受け部材から前記ユニット基体Ｙの壁面８ｂに向って回転するドアガードであり、前記係合アーム３１のドアの開放範囲を規制するための横Ｕ字型長杆規制部３５の内側又は前記ユニット基体Ｙの壁面８ｂに、係合アームが前記ユニット基体Ｙの壁面８ｂに衝突したときに発生する音を静かな音にする消音部材６１を固定的に設けたことを特徴とする。
【０００６】
【発明の実施の形態】
図１乃至図１１により本発明の実施形態の一実施例を説明する。まず図１乃至図３は、発明の実施の環境を示している。１は外方向へ開く普通一般のドアで、このドア１の開放側端部には、例えばシリンダ錠２が取付けられている。一方、３は戸枠側で、この戸枠側３の内壁面には受け部材４が取付けられている。受け部材４は、係合頭部５を有する係止杆６を備えている。
【０００７】
ところで、本実施例のドアガードＸの基本的構成は、前記シリンダ錠２の動力伝達部材７との関係で、ドア１の内壁面１ａに固定されたガードケース８と、一方、戸枠側３に固着された受け部材４と、この受け部材４とドア１側の係合アーム３１との係合状態を解消するために、前記ガードケース８に設けられた係合解除機構９と、係合アームをドアの内壁面側に戻す付勢バネ４１から成る。
【０００８】
さて、本明細書では説明の便宜上ユニット基体Ｙという用語を用いる。「ユニット基体Ｙ」とは、ドア１の内壁面１ａに固定的に取付けられ、かつ、動力伝達部材７を備える錠２を操作或いは駆動させると、係合アーム３１との係合を解除する係合解除機構９を備えたガードケース８を言う。そして、このユニット基体Ｙには係合アーム３１の基端部が枢着されている。本発明の主要部である静音用の部材は、少なくとも係合アームの内側又は及びユニット基体の壁面に設けられている。そこで、「基本的な主要部材」を列挙しながら順番に説明する。なお、固着具など発明の特定要件でない箇所（細部）は極力省略する。
【０００９】
（１）シリンダ錠……シリンダ錠２は、本実施例ではドアガード用に採用されたものである。シリンダ錠２は合鍵Ｋによって左右に回転する動力伝達部材７を有している。動力伝達部材７は、例えばシリンダ錠２に差込まれた合鍵Ｋによって左右いずれの方向にも回転する内筒体７ａと、この内筒体７ａの後端部から突出する駆動軸７ｂとを有する。
【００１０】
（２）回転体……回転体１１は、ガードケース８に内装され、かつ、ドア１の内壁面１ａと対向する任意形状の蓋体１３に回動自在に設けられている。この回転体１１は、図４及び図５に示すように嵌合大径部１４と、この嵌合大径部１４に連設する小径部１５とを有し、小径部１５には動力伝達部材７のバー状駆動軸７ｂが嵌入する。しかして、前記嵌合大径部１４の外周壁の適宜箇所には、例えば１８０度おいた部位に合計２個の突起状第１係合部１７が形成されている。この第１係合部１７の下面側（図４で上部側）１７ａは、半円弧状に形成されている。この下面側１７ａは、回転体１１の左右回転方向にその頂点部を境にしてそれぞれテーパ面を有する。回転体１１は蓋体１３の円形状窓孔１８から小径部１５が貫通し、かつ、該小径部１５に駆動軸７ｂが嵌入しているから、例えば合鍵８の操作によって動力伝達部材７が回転すると、所定位置にて所要量同方向へと回転する。
【００１１】
（３）シーソー片……シーソー片２１は、図５を基準にすると、右端部に、回転体１１の第１係合部１７と摺接状態で係脱する第１被係合部２２を有している。一方、シーソー片２１の左端部の上面には、複数個のバネ支持穴２３が所定間隔で形成されている。またシーソー片２１の左端部の下面（シーソー片２１の他端部に相当）には、係合アーム３１の外拡基端部３２に形成した第２被係合部３３と係脱する山形突起状の第２係合部２４が形成されている。２５は中央部に突出形成された上下一対の短軸で、シーソー片２１は短軸２５を支点に揺動する。
【００１２】
ここでシーソー片２１の形状について説明すると、シーソー片２１はこの短軸２５の部位から他端部に至るまでやや傾斜状に形成されていると共に、前記突起状第２係合部２４の下面側は「Ｖ字型」を成している。つまり、第２係合部２４は、係合アーム３１の第２被係合部３３が「Ｖ溝」であることに対応して山形状突起となっている。
【００１３】
（４）シーソー片用押しバネ……この押しバネ２７には、コイルばねが使用されている。押しバネ２７は、特に図示しないが合計３個ある。これらの押しバネ２７の一端部はバネ支持穴２３にそれぞれ組込まれ、一方、その他端部は蓋体１３に形成したバネ収納部２８内に適宜に支持される。押しバネ２７は、閉戸時、合鍵Ｋの操作により回転する回転体１１を介し、シーソー片２１が係合解除方向へ揺動すると収縮する。つまり、図５で示すように、シーソー片２１の第２係合部２４が係合アーム３１の第２被係合部３３から離れた場合に収縮する。
【００１４】
（５）係合アーム……係合アーム３１は、普通一般に使用されている形態を成しているが、本実施例では、地震等でドア１が変形した際にもドアガードＸの解除ができるように上下の外拡基端部間の幅広挿抜空間部３４（クリアランスａ）が大きく設定されている。
【００１５】
しかして、図６で示すように、係合アーム３１の外拡基端部３２には、係止杆６の係合頭部５から抜けることができる幅広挿抜空間部３４が形成され、また上下の外拡基端部３２に連設する横Ｕ字型状長杆規制部３５には、前記係止杆６を案内する横方向の係合孔３６が形成されている。
【００１６】
また上下の外拡基端部３２，３２には、円盤状軸受け部３７，３７がそれぞれ形成され、これらの軸受け部３７，３７の外周壁には、前述したシーソー片２１の第２係合部２４が係脱する断面Ｖ型溝第２被係合部３３がそれぞれ形成されている。第２被係合部３３は、図４で示すように９０度設けて合計２個形成されている。また軸受け部３７の外壁面には軸孔３８を中心に付勢バネ４１用の収納凹所３９が形成されている。そして、収納凹所３９を形成する内壁面の適宜部位には、前記付勢バネ４１の一端部を受け入れるバネ端部用切欠部４０が形成されている。
【００１７】
ところで、前述した外拡基端部間の挿抜空間部３４のクリアランスａは、本実施例では、案内係合孔３６のそれｂと比較すると、「２．４倍程度」ないし「３．４倍程度」の間に設定されている。したがって、受け部材４の係合頭部５の周壁と円盤状軸受け部３７，３７の間壁面との間には、充分な隙間がある。
【００１８】
（６）付勢バネ……付勢バネ４１は、外拡基端部３２の軸受け部３７の収納凹所３９に組込まれ、シーソー片２１が押しバネ２７のバネ力に抗して係合解除方向へと揺動した時に、係合アーム３１が直ちに戸枠側３の係止杆６から離れるように常時付勢している。付勢バネ４１の一端部は、軸受け部３７のバネ端部用切欠部４０内に支持され、一方、他端部はユニット基体Ｙの壁部の適宜箇所に圧接している。
【００１９】
（７）ガードケース……図８乃至図１０を参照にガードケース８について説明する。８ａはドア１の内壁面１ａと対向する内壁面側、一方、８ｂは回転した係合アーム３１と対向する外壁面側である。４４は蓋体１３用嵌合凹所で、この嵌合凹所４４は蓋体１３の支持面４４ａを有する。４５は該嵌合凹所４４に連通する円形状嵌合部である。４６は円形状嵌合部４５の下方にさらに連通する回転体用嵌合部で、この回転体用嵌合部４６内に回転体の嵌合大径部１４が嵌め込まれる。したがって、本実施例では、大径の円形状嵌合部４５及び小径の回転体用嵌合部４６は、共に回転体用の嵌合部である。
【００２０】
４７はＴ字型のシーソー片２１用収納部で、このシーソー片用収納部４７は前記回転体用嵌合部４５，４６並びに蓋体用嵌合凹所４４に連通している。このシーソー片用収納部４７を形成している対向側壁の中央部には、シーソー片の短軸２５がそれぞれ嵌合する小切欠部４８が設けられている。４９はシーソー片の突起状第２係合部２４が入り込む貫通孔である。５０は係合アーム３１の軸受け部３７の外壁面（付勢バネ側）と対向する半円形状支持部５０で、該支持部５０には支軸５１用の中心孔５２が形成されている。
【００２１】
（８）消音部材……図６及び図７で示すように、符号６１は、係合アーム３１の内側に設けられた消音部材である。本実施例では、横Ｕ字型長杆規制部３５の中央部寄りの部位に計２個設けられている。消音部材６１としてはゴムが採用されている。しかして、消音部材６１は長杆規制部３５に形成した小凹所６２内に接着層６３を介して嵌合状態に埋設されている。
【００２２】
前述したように、本発明は、ドアガード解除用の錠２を外から駆動させると、係合アーム３１がユニット基体Ｙに設けられた係合解除機構９により、かつ、付勢バネ４１のバネ力により自動的に受け部材４の係止杆６から離れてドア１の内壁面１ａ側に戻り、その際にユニット基体Ｙの壁面８ｂと係合アーム３２の内側（特に端部）との間で発生する音を静かな音にすることができれば良い。したがって、消音部材６１を、例えば板状、ブロック状などに形成し、ユニット基体Ｙの壁面８ｂに固設しても良い。
【００２３】
（９）キャッチ部材……図８及び図９で示すように、ユニット基体Ｙの壁面８ｂには、係合アーム３１の横Ｕ字型長杆規制部３５を受けるキャッチ部材６５が固定的に設けられている。このキャッチ部材６５は、熱可塑性樹脂、例えばポリアセタール（ＰＯＭ）で、図１０及び図１１で示すように前記横Ｕ字型長杆規制部３５を保持できるような形態に形成されている。
【００２４】
しかして、６６はユニット基体Ｙの壁面８ｂに固定手段を介して取付けられるベース部、６７はベース部の上下端部に突設された一対の受け部である。これらの受け部６７，６７は、係合アーム３１が付勢バネ４１のバネ力により自動的に戻ってきた時に係合アーム３１の消音部材６１，６１と受け止める。熱可塑性樹脂の一例であるポリアセタール（ＰＯＭ）は、低騒音性、耐磨耗性などに優れているから、係合アーム３１側の消音部材６１の一例であるゴムと相俟って所望するような「低音性」あるいは「静音性」を達成することができる。
【００２５】
ところで、本実施例のキャッチ部材６５は、前記受け部６７，６７の間に横Ｕ字型長杆規制部３５と係合する保持部６８を有している。この保持部６８は図１０で示すように断面Ｍ字型状に形成されている。このようにキャッチ部材６５が保持部６８を有する実施例にあっては、ドア１の内壁面１ａに復帰した係合アーム３１を所定位置に確実に保持することができるという効果がある。なお、係合アーム３１の作用については、構成と共に既に説明したので、その詳細は割愛する。
【００２６】
【実施例】
シリンダ錠２は、本実施例ではドアガード用に採用された補助的な錠である。したがって、本実施例のシリンダ錠２は合鍵Ｋによって左右に回転する動力伝達部材７を有しているが、シリンダ錠２そのものを、例えば文字合わせと称されるダイヤル錠、マグネットタンブラーを備えるマグネツト錠に設計変更した場合には、当然、動力伝達部材７に作動状態も異なる。例えばシリンダ錠２内にマグネットキーの磁性体の極性によって反発する動力伝達部材７を駆動可能に設けた場合やダイヤル錠の第１回転体を暗証番号に基づいて左右に回転すると動力伝達部材７が駆動可能な場合には、合鍵Ｋによって左右いずれの方向にも回転する内筒体７ａ並びに駆動軸７ｂが不要となる。特に後者のダイヤル錠の場合には合鍵Ｋそのものも不要となる。
【００２７】
したがって、付勢バネ４１を備えた係合アーム３１用補助錠（シリンダ錠も含む）２は、閉戸時に於いて、ユニット基体Ｙに組込まれたシーソー片２１を押しバネ２７のバネ力に抗して移動させることができる機能を有すれば十分である。なお、消音部材６１を係合アーム３１の横Ｕ字型長杆規制部３５の内側及びはユニット基体Ｙの壁面８ｂ両方に固定的に設けても良い。
【００２８】
【発明の効果】
以上の説明から明らかなように、本発明にあっては、次に列挙するような作用・効果がある。
（１）閉扉状態に於いて、ドアの外壁面側からドアガードの錠を操作した時、係合アームが付勢バネのバネ力により勢い良く戻った時に発生する「ガタン」という音を極力小さくすることができる。
（２）またドアの外壁面側から錠を駆動させると、室内側に係止作動可能状態にある係合アームが、係止杆から自動的に離れるので、深夜、就寝した人（例えば女房）を起さないで室内に入ることができる。
（３）キャッチ部材６５が保持部６８を有する実施例にあっては、ドア１の内壁面１ａに復帰した係合アーム３１を所定位置に確実に保持することができる。
【図面の簡単な説明】
図１乃至図１１は本発明の一実施例を示す各説明図。
【図１】発明の実施の形態を示す説明図（ドアガードが働いている状態）。
【図２】平面側から見た概略説明図。
【図３】平面側から見た内部構造を示す一部概略断面説明図。
【図４】係合アームが戸枠側の受け部材と係合可能な状態にセッテイングされている場合の概略断面説明図。
【図５】係合アームが付勢バネのバネ力により、自動的にドアの内壁面側に戻ってきた時の概略断面説明図。
【図６】係合アームを内側から見た説明図。
【図７】係合アームに消音部材を設けた一例を示す説明図。
【図８】ユニット基体の壁面にキャッチ部材を設けた正面からの説明図。
【図９】図８の９−９線概略断面図。
【図１０】キャッチ部材の概略断面説明図。
【図１１】キャッチ部材と係合アームとの関係を示す説明図。
【符号の説明】
Ｘ…ドアガード、Ｙ…ユニット基体、Ｋ…合鍵、１…ドア、１ａ…内壁面、２…錠、３…戸枠側、４…受け部材、５…係合頭部、６…係止杆、７…動力伝達部材、７ａ…内筒体、７ｂ…駆動軸、８…ガードケース、９…係合解除機構、１１…回転体、１３…蓋体、１４…嵌合大径部、１５…小径部、１７…第１係合部、１７ａ…下面側、２１…シーソー片、２２…第１被係合部、２３…バネ支持穴、２４…第２係合部、２５…短軸、２７…押しバネ、２８…バネ収納部、３１…係合アーム、３２…外拡基端部、３３…第２被係合部、３５…横Ｕ字型長杆規制部、３８…軸孔、４０…切欠部、４１…付勢バネ、４６…回転体用嵌合部、５１…支軸、６１…消音部材、６２…小凹所、６３…接着層、６５…キャッチ部材、６６…ベース部、６７…受け部、６８…保持部。
【図１】
0004289648.tif 000002
【図２】
0004289648.tif 000003
【図３】
0004289648.tif 000004
【図４】
0004289648.tif 000005
【図５】
0004289648.tif 000006
【図６】
0004289648.tif 000007
【図７】
0004289648.tif 000008
【図８】
0004289648.tif 000009
【図９】
0004289648.tif 000010
【図１０】
0004289648.tif 000011
【図１１】
0004289648.tif 000012